(57)【要約】【課題】グリップ感の良好なガンカットタイプの縫製手袋を提供する。【解決手段】手袋１は、人差し指片２ａ、中指片３ａ、薬指片４ａ及び小指片５ａを設けた甲側、及び人差し指片２ａを設けた掌側を、前記人差し指片２ａ側で連設した本体パーツ６と、中指の掌側に対応する中指パーツ３と、薬指の掌側に対応する薬指パーツ４と、小指の掌側に対応する小指パーツ５とからなり、所定部分をそれぞれ縫合して構成する。各指パーツの基端部９，１０，１１には、凹形状の切り欠き１５，１７，１９を形成するとともに、本体パーツ６の掌側上縁に設けた前記各連繋部１２，１３，１４を、前記基端部９，１０，１１の切り欠き１５，１７，１９に対応するように指先端方向に伸びる凸形状に形成し、前記各基端部９，１０，１１と前記連繋部１２，１３，１４とを、各基端部９，１０，１１が外側になるようにして折り重ね、縫合する。【選択図】図１
2006028676.tif 000002
【特許請求の範囲】
【請求項１】
人差し指片、中指片、薬指片及び小指片を設けた甲側、及び人差し指片を設けた掌側を、前記人差し指側で連設した本体パーツと、中指の掌側に対応する中指パーツと、薬指の掌側に対応する薬指パーツと、小指の掌側に対応する小指パーツとからなり、前記本体パーツの掌側の上縁に設けた三つの連繋部に前記各指パーツを縫合するとともに、この本体パーツを両人差し指片側の連設部分で二つ折りし、所定部位を縫合してなる縫製手袋であって、各指パーツ基端部に凹形状の切り欠きを設けるとともに、本体パーツの三つの連繋部を、前記各指パーツ基端部に設けた凹形状の切り欠きに対応するように指先方向に伸びる凸形状にそれぞれ形成し、前記各基端部縁と前記各連繋部縁とを、各基端部が外側になるように重ね、縫合して構成することを特徴とするガンカットタイプの縫製手袋。
【請求項２】
人差し指片、中指片、薬指片及び小指片を設けた甲側、及び人差し指片と小指片とを設けた掌側を、前記人差し指片側あるいは小指側で連接した本体パーツと、中指の掌側に対応する中指パーツと、薬指の掌側に対応する薬指パーツとからなり、前記本体パーツの掌側の上縁に設けた二つの連繋部に前記各パーツを縫合するとともに、この本体パーツを両人差し指側あるいは小指側の連設部分で二つ折りし、所定部位を縫合してなる縫製手袋であって、各指パーツの基端部に凹形状の切り欠きを設けるとともに、前記本体パーツの二つの連繋部を、前記各指パーツ基端部に設けた凹形状の切り欠きに対応するように指先方向に伸びる凸形状にそれぞれ形成し、前記各基端部縁と前記各連繋部縁とを、各基端部が外側になるように重ね、縫合して構成することを特徴とするガンカットタイプの縫製手袋。
【発明の詳細な説明】
【技術分野】
【０００１】
本発明は、フィッティングとグリップ感が重視されるゴルフ、野球などの競技用手袋やバイク手袋などに適用すると好適で、特に、装着時、指の付け根や指股のグリップ感に優れたガンカットタイプの縫製手袋に関するものである。
【背景技術】
【０００２】
従来、上記のようなガンカットタイプの縫製手袋には、中指及び薬指に対応する指パーツの基端部を、各指の幅方向に直線状に伸びるように裁断し、また、これら中指パーツと薬指パーツを縫合する本体パーツの掌側の上縁連繋部も直線状に裁断し、これら各基端部と各上縁連繋部を直線状に縫合したものがある。そして、このガンカットタイプの縫製手袋は、中指、薬指（小指も含む場合もある）の掌側に対応する指パーツの幅を、前記各指の甲側に対応する指片を一体的に形成した本体パーツの幅より長く形成し、縫合して各指袋部を構成するので、該各指袋部が立体的であるとともに、装着したときに、各指の長手方向に伸びる縫い代が各指の甲側に近い部分に位置して、物をグリップしたときに前記縫い代の存在が気にならず、特に指股の掌側に近い部分に前記縫い代が存在しないので指股を圧迫せず、グリップ感が良好である、という利点がある。
【特許文献１】第３０３９９７２号登録実用新案公報
【発明の開示】
【発明が解決しようとする課題】
【０００３】
しかしながら、前記従来のガンカットタイプの縫製手袋は、中指及び薬指の各基端部と本体パーツの掌側の各上縁連繋部を直線状に縫合してあるので、物を握ったときに、中指及び薬指の各付け根の、掌に対して折れ曲がる部分が縫い代で圧迫され、例えば、この縫製手袋をゴルフ用手袋に適用した場合は、グリップ感が悪いだけでなく、フィッティングもしにくいという問題があった。
【課題を解決するための手段】
【０００４】
請求項１に記載の本発明は、人差し指片、中指片、薬指片及び小指片を設けた甲側、及び人差し指片を設けた掌側を、前記人差し指側で連設した本体パーツと、中指の掌側に対応する中指パーツと、薬指の掌側に対応する薬指パーツと、小指の掌側に対応する小指パーツとからなり、前記本体パーツの掌側の上縁に設けた三つの連繋部に前記各指パーツを縫合するとともに、この本体パーツを両人差し指片側の連設部分で二つ折りし、所定部位を縫合してなる縫製手袋であって、各指パーツ基端部に凹形状の切り欠きを設けるとともに、本体パーツの三つの連繋部を、前記各指パーツ基端部に設けた凹形状の切り欠きに対応するように指先方向に伸びる凸形状にそれぞれ形成し、前記各基端部縁と前記各連繋部縁とを、各基端部が外側になるように重ね、縫合して構成するものである。
【０００５】
請求項２に記載の本発明は、人差し指片、中指片、薬指片及び小指片を設けた甲側、及び人差し指片と小指片とを設けた掌側を、前記人差し指片側あるいは小指側で連接した本体パーツと、中指の掌側に対応する中指パーツと、薬指の掌側に対応する薬指パーツとからなり、前記本体パーツの掌側の上縁に設けた二つの連繋部に前記各パーツを縫合するとともに、この本体パーツを両人差し指側あるいは小指側の連設部分で二つ折りし、所定部位を縫合してなる縫製手袋であって、各指パーツの基端部に凹形状の切り欠きを設けるとともに、前記本体パーツの二つの連繋部を、前記各指パーツ基端部に設けた凹形状の切り欠きに対応するように指先方向に伸びる凸形状にそれぞれ形成し、前記各基端部縁と前記各連繋部縁とを、各基端部が外側になるように重ね、縫合して構成するものである。
【発明の効果】
【０００６】
以上のように、請求項１に記載の本発明のガンカットタイプの縫製手袋は、例えばゴルフ用に適用すれば、クラブを握ったときに、中指、薬指及び小指の各付け根より各指先側に縫い代が対応位置するので、各指の、掌に対して折れ曲がる部分が縫い代に圧迫されず、グリップ感がよいだけでなく、フィッティングも良好であるという効果を奏する。
【０００７】
また、請求項２に記載の本発明のガンカットタイプの縫製手袋は、例えばゴルフ用に適用すれば、クラブを握ったときに、中指及び薬指の各付け根より各指先端に縫い代が対応位置するので、各指の、掌に対して折れ曲がる部分が縫い代に圧迫されず、グリップ感がよいだけでなく、フィッティングも良好であるという効果を奏する。
【発明を実施するための最良の形態】
【０００８】
次に、本発明をゴルフ用縫製手袋に適用した好適な実施形態を詳細に添付図面に基づいて説明する。ここにおいて、図１は掌側を示す手袋の斜視図、図２は甲側を示す手袋の斜視図、図３は本体パーツの表面側を示す正面図、図４は親指パーツの表面側を示す正面図、図５は人差し指片に付設する人差し指用マチ部、図６は中指パーツの表面側を示す正面図、図７は薬指パーツの表面側を示す正面図、図８は小指パーツの表面側を示す正面図、図９は本体パーツに親指パーツを縫合した状態を示す縫製工程図、図１０は中指パーツに人差し指パーツ用マチ部を縫合した状態を示す縫製工程図、図１１は中指パーツに薬指パーツを縫合した状態を示す縫製工程図、図１２は薬指パーツに小指パーツを縫合した状態を示す縫製工程図、図１３は連結状態の人差し指パーツと中指パーツと薬指パーツと小指とパーツを本体パーツに縫合する前の状態を示す縫製工程図、図１４は連結状態の人差し指パーツと中指パーツと薬指パーツと小指とパーツを本体パーツに縫合した後の状態を示す縫製工程図である。
【０００９】
図１〜図８に示すように、手袋１は、人差し指片２ａ、中指片３ａ、薬指片４ａ及び小指片５ａを設けた甲側、及び人差し指片２を設けた掌側を、前記人差し指側で連設した本体パーツ６と、中指の掌側に対応する中指パーツ３と、薬指の掌側に対応する薬指パーツ４と、小指の掌側に対応する小指パーツ５と、親指に対応する親指パーツ７と、前記人差し指片２ａ，２ｂの側部縁に縫合する人差し指用マチ部８とからなり、本体パーツ６を両人差し指側の連設部分で折り畳み、本体パーツ６の甲側と掌側の側縁、両人差し指片２ａ，２ｂどうし、隣接する中指パーツ３と薬指パーツ４及び薬指パーツ４と小指パーツ５、前記各指片３ａ，４ａ，５ａと前記各指パーツ３，４，５、前記各指パーツ３，４，５のそれぞれの基端部９，１０，１１と本体パーツ６の掌側上縁に設けた連繋部１２，１３，１４とをそれぞれ縫合して構成する。
【００１０】
図６に示すように、中指パーツ３は、本体パーツ６の中指片３ａより幅広に形成し、その基端部９には凹形状の切り欠き１５を形成し、前記基端部９の、前記切り欠き１５両端には、縫い代１６ａ，１６ｂを設ける。一方の縫い代１６ａは、後述する人差し指用マチ部８に縫合するためのものであり、また、他方の縫い代１６ｂは、後述する薬指パーツ４に縫合するためのものである。前記中指パーツ３の幅を中指片３ａより幅広にするのは、中指パーツ３と中指片３ａを縫合して形成される中指袋部を立体的にするためのものである。
【００１１】
また、薬指パーツ４は、本体パーツ６の薬指片４ａより幅広に形成し、その基端部１０は凹形状の切り欠き１７を形成し、前記基端部１０の、前記切り欠き１７両端には、縫い代１８ａ，１８ｂを設け、一方の縫い代１８ａは、前記中指パーツ３の縫い代１６ｂに縫合するためものであり、また、他方の縫い代１８ｂは、後述する小指パーツ５に縫合するためのものである。前記薬指パーツ４の幅を薬指片４ａより幅広にするのは、前述の中指パーツ３の場合と同様に、薬指パーツ４と薬指片４ａを縫合して形成される薬指袋部を立体的にするためのものである。
【００１２】
小指パーツ５は、本体パーツ６の小指片５ａより幅広に形成し、その基端部１１には凹形状の切り欠き１９を形成し、前記基端部１１の、切り欠き１９両端には、縫い代２０ａ，２０ｂを設ける。一方の縫い代２０ａは、前記薬指パーツ４の他方の縫い代１８ｂに縫合するためのものであり、また、他方の縫い代２０ａは、本体パーツ６に縫合するものである。前記小指パーツ５の幅を小指片５ａより幅広にするのは、前述の中指パーツ３あるいは薬指パーツ４の場合と同様に、小指パーツ５と小指片５ａを縫合して形成される小指袋部を立体的にするためのものである。
【００１３】
図３に示すように、本体パーツ６の掌側には、その周囲に親指パーツ７を縫合する指穴２１を設けるとともに、各連繋部１２，１３，１４を、前記各基端部９，１０，１１の切り欠き１５，１７，１９の凹形状に対応するように指先方向に伸びる凸形状に形成する。
【００１４】
図５に示すように、人差し指用マチ部８の、人差し指の基端側に対応する端部には、前記中指パーツの一方の縫い代１６ａに縫合する縫い代２２を設ける。この人差し指マチ部８は、人差し指片２ａ，２ｂの各側部間に介在させることによって、これらから形成される人差し指袋部を立体的にするためのものである。
【００１５】
次に、上記手袋１の縫製工程を、添付図面の図９〜図１４に基づいて順次説明する。
【００１６】
（工程１）図９に示すように、本体パーツ６の指穴２１周囲の所定部位に親指パーツを縫合するとともに、親指パーツ６の縁部どうしを縫合して親指袋部を形成する。
【００１７】
（工程２）図１０に示すように、中指パーツ３の一方の縫い代１６ａに人差し指用マチ部８の縫い代２２を縫合する。
【００１８】
（工程３）図１１に示すように、中指パーツ３の他方の縫い代１６ｂに薬指パーツ４の一方の縫い代１８ｂを縫合する。
【００１９】
（工程４）図１２に示すように、薬指パーツ４の他方の縫い代１８ａに小指パーツ５の一方の縫い代２０ａを縫合する。
【００２０】
（工程５）図１３に示すように、上記工程２〜４で縫い代を縫合し連結した人差し指用マチ部８、中指パーツ３、薬指パーツ４及び小指パーツ５のうち、人差し指用マチ部８の一側部を本体パーツ６の人差し指片２ｂの側部に、また、中指パーツ３の基端部９を本体パーツ６の連繋部１２に、また、薬指パーツ４の基端部１０を本体パーツ６の連繋部１３に、また、小指パーツ５の基端部１１を本体パーツ５の連繋部１４に、縫合線Ａ０，Ａ１、縫合線Ｂ０，Ｂ１、縫合線Ｃ０，Ｃ１及び縫合線Ｄ０，Ｄ１をそれぞれ一致させて重ね、前記各縫合線に沿って縫合する。
【００２１】
（工程６）図１４に示すように、本体パーツ６の両人差し指片２ａ，２ｂの境界線とこの境界線の延長線上の連設部分２３で二つに折り、人差し指片２ａと人差し指用マチ部８との各縁部、中指片３ａと中指パーツ３との各縁部、薬指片４ａと薬指パーツ４との各縁部、小指片５ａと小指パーツ５との各縁部、及び本体パーツ６の両縁部を、それぞれ縫合線Ａ２，Ａ３を一致させて重ね縫合し、手袋１が完成する（図１及び図２参照）。
【００２２】
なお、本発明は、上記のようなゴルフ用ではなく、野球のバッティングをする時に装着する野球用、オートバイ用など、棒状のものを握るための縫製手袋に適用してもよい。
【００２３】
また、小指パーツ５を設けず、小指部分は、人差し指に対応する部分と同様に、本体パーツ６と一体に設ける一対の小指片にしたものであってもよい。この場合は、連設部分２３を小指片側に設けてもよい。
【図面の簡単な説明】
【００２４】
【図１】掌側を示す手袋の斜視図。
【図２】甲側を示す手袋の斜視図。
【図３】本体パーツの表側を示す正面図。
【図４】親指パーツの表面側を示す正面図。
【図５】人差し指片に付設する人差し指用マチ部。
【図６】中指パーツの表面側を示す正面図。
【図７】薬指パーツの表面側を示す正面図。
【図８】小指パーツの表面側を示す正面図。
【図９】本体パーツに親指パーツを縫合した状態を示す縫製工程図。
【図１０】中指パーツに人差し指パーツ用マチ部を縫合した状態を示す縫製工程図。
【図１１】中指パーツに薬指パーツを縫合した状態を示す縫製工程図。
【図１２】薬指パーツに小指パーツを縫合した状態を示す縫製工程図。
【図１３】縫合状態とした人差し指パーツと中指パーツと薬指パーツと小指とパーツを本体パーツに縫合する前の状態を示す縫製工程図。
【図１４】縫合状態とした人差し指パーツと中指パーツと薬指パーツと小指とパーツを本体パーツに縫合する後の状態を示す縫製工程図
【符号の説明】
【００２５】
１    手袋
２ａ，２ｂ    人差し指片
３    中指パーツ
３ａ    中指片
４    薬指パーツ
４ａ    薬指片
５    小指パーツ
５ａ    小指片
６    本体パーツ
７    親指パーツ
８    人差し指用マチ部
９，１０，１１    基端部
１２，１３，１４    連繋部
１５，１７，１９    切り込み
１６ａ，１８ａ，２０ａ    一方の縫い代
１６ｂ，１８ｂ，２０ｂ    他方の縫い代
２１    指穴
２２    縫い代
２３    連接部分
【図１】
2006028676.tif 000003
【図２】
2006028676.tif 000004
【図３】
2006028676.tif 000005
【図４】
2006028676.tif 000006
【図５】
2006028676.tif 000007
【図６】
2006028676.tif 000008
【図７】
2006028676.tif 000009
【図８】
2006028676.tif 000010
【図９】
2006028676.tif 000011
【図１０】
2006028676.tif 000012
【図１１】
2006028676.tif 000013
【図１２】
2006028676.tif 000014
【図１３】
2006028676.tif 000015
【図１４】
2006028676.tif 000016